(57)【要約】【課題】  ＲＦＩＤシステムを用いた人や物品の入退室管理システムにおいて、ＲＦＩＤタグ（ＩＤ情報）を二度読んでしまうというＲＦＩＤタグの誤読（誤認証）による悪影響を防止する入退室管理システムを提供することを目的とする。【解決手段】  一方のエリアと他方のエリアとの二つのエリアを仕切り、開閉可能な仕切り部と、前記一方のエリアに配置された第１アンテナが接続された第１ＲＦＩＤリーダと、前記他方のエリアに配置された第２アンテナが接続された第２ＲＦＩＤリーダと、前記第１ＲＦＩＤリーダ又は前記第２ＲＦＩＤリーダがＲＦＩＤタグの情報を読み取り、認証したときに前記仕切り部を開放状態とし、所定時間の間、前記第１ＲＦＩＤリーダ又は前記第２ＲＦＩＤリーダが当該ＲＦＩＤタグの情報を読み取り、認証したときに、その情報を無効とする制御部とを備えたことを特徴とする。【選択図】        図１
2013025377.tif 000002
【特許請求の範囲】
【請求項１】
電波方式のＲＦＩＤシステムを用いた入退室管理システムにおいて、一方のエリアと他方のエリアとの二つのエリアを仕切り、開閉可能な仕切り部と、前記一方のエリアに配置された第１アンテナが接続された第１ＲＦＩＤリーダと、前記他方のエリアに配置された第２アンテナが接続された第２ＲＦＩＤリーダと、前記第１ＲＦＩＤリーダ又は前記第２ＲＦＩＤリーダがＲＦＩＤタグの情報を読み取り、認証したときに前記仕切り部を開放状態とし、所定時間の間、前記第１ＲＦＩＤリーダ又は前記第２ＲＦＩＤリーダが当該ＲＦＩＤタグの情報を読み取り、認証したときに、その情報を無効とする制御部とを備えたことを特徴とする入退室管理システム。
【請求項２】
電波方式のＲＦＩＤシステムを用いた入退室管理システムにおいて、一方のエリアと他方のエリアとの二つのエリアを仕切り、開閉可能な仕切り部と、この仕切り部の開放状態と閉鎖状態とを検知する開閉検知部と、前記一方のエリアに配置された第１アンテナが接続された第１ＲＦＩＤリーダと、前記他方のエリアに配置された第２アンテナが接続された第２ＲＦＩＤリーダと、所定時間をカウントするカウンタ部と、前記第１ＲＦＩＤリーダ又は前記第２ＲＦＩＤリーダがＲＦＩＤタグの情報を読み取り、認証したときに前記仕切り部を開放状態とし、前記カウンタ部が所定時間をカウントしている間、前記第１ＲＦＩＤリーダ又は前記第２ＲＦＩＤリーダが当該ＲＦＩＤタグの情報を読み取り、認証したときに、その情報を無効とする制御部と、前記仕切り部が開放状態から閉鎖状態に遷移したことを前記開閉検知部が検知したときに、前記カウンタ部によるカウントを終了させる判定部とを備えたことを特徴とする入退室管理システム。
【請求項３】
電波方式のＲＦＩＤシステムを用いた入退室管理システムにおいて、一方のエリアと他方のエリアとの二つのエリアを仕切り、開閉可能な仕切り部と、この仕切り部の開放状態と閉鎖状態とを検知する開閉検知部と、前記一方のエリアに配置された第１アンテナが接続された第１ＲＦＩＤリーダと、前記他方のエリアに配置された第２アンテナが接続された第２ＲＦＩＤリーダと、所定時間をカウントするカウンタ部と、前記第１ＲＦＩＤリーダ又は前記第２ＲＦＩＤリーダがＲＦＩＤタグの情報を読み取り、認証したときに前記仕切り部を開放状態とし、前記カウンタ部が所定時間をカウントしている間、前記第１ＲＦＩＤリーダ又は前記第２ＲＦＩＤリーダが当該ＲＦＩＤタグの情報を読み取り、認証したときに、その情報を無効とする制御部と、前記仕切り部が開放状態から閉鎖状態に遷移したことを前記開閉検知部が検知したときに、前記カウンタ部によるカウントを第２の所定時間の経過後に終了させる判定部とを備えたことを特徴とする入退室管理システム。
【請求項４】
第１の周波数帯を使用する電波方式のＲＦＩＤシステム、及び、前記第１の周波数帯よりも低い第２の周波数帯を使用する電磁誘導方式のＲＦＩＤシステムを用いた入退室管理システムであって、一方のエリアと他方のエリアとの二つのエリアを仕切り、開閉可能な仕切り部と、前記一方のエリアに配置された前記電波方式の第１アンテナが接続された第１ＲＦＩＤリーダと、前記他方のエリアに配置された前記電波方式の第２アンテナが接続された第２ＲＦＩＤリーダと、前記一方のエリアに配置された前記電磁誘導方式の第３アンテナが接続された第３ＲＦＩＤリーダと、前記他方のエリアに配置された前記電磁誘導方式の第４アンテナが接続された第４ＲＦＩＤリーダと、前記第１ＲＦＩＤリーダ又は前記第２ＲＦＩＤリーダがＲＦＩＤタグの情報を読み取り、認証したときに前記仕切り部を開放状態とし、所定時間の間、前記第１ＲＦＩＤリーダ又は前記第２ＲＦＩＤリーダ、或いは、前記第３ＲＦＩＤリーダ又は前記第４ＲＦＩＤリーダが当該ＲＦＩＤタグの情報を読み取り、認証したときに、その情報を無効にし、前記第３ＲＦＩＤリーダ又は前記第４ＲＦＩＤリーダがＲＦＩＤタグの情報を読み取り、認証したときに前記仕切り部を開放状態とし、当該ＲＦＩＤタグの情報に紐付け情報がある場合は、所定時間の間、前記第１ＲＦＩＤリーダ又は前記第２ＲＦＩＤリーダ、或いは、前記第３ＲＦＩＤリーダ又は前記第４ＲＦＩＤリーダが当該ＲＦＩＤタグの情報を読み取り、認証したときに、その情報を無効にし、当該ＲＦＩＤタグの情報に紐付け情報がない場合は、所定時間の間、前記第３ＲＦＩＤリーダ又は前記第４ＲＦＩＤリーダが当該ＲＦＩＤタグの情報を読み取り、認証したときに、その情報を無効とする制御部とを備えたことを特徴とする入退室管理システム。
【請求項５】
第１の周波数帯を使用する電波方式のＲＦＩＤシステム、及び、前記第１の周波数帯よりも低い第２の周波数帯を使用する電磁誘導方式のＲＦＩＤシステムを用いた入退室管理システムであって、一方のエリアと他方のエリアとの二つのエリアを仕切り、開閉可能な仕切り部と、前記一方のエリアに配置された前記電波方式の第１アンテナが接続された第１ＲＦＩＤリーダと、前記一方のエリアに配置された前記電磁誘導方式の第３アンテナが接続された第３ＲＦＩＤリーダと、前記他方のエリアに配置された前記電磁誘導方式の第４アンテナが接続された第４ＲＦＩＤリーダと、前記第１ＲＦＩＤリーダがＲＦＩＤタグの情報を読み取り、認証したときに前記仕切り部を開放状態とし、所定時間の間、前記第１ＲＦＩＤリーダ、或いは、前記第３ＲＦＩＤリーダ又は前記第４ＲＦＩＤリーダが当該ＲＦＩＤタグの情報を読み取り、認証したときに、その情報を無効にし、前記第３ＲＦＩＤリーダ又は前記第４ＲＦＩＤリーダがＲＦＩＤタグの情報を読み取り、認証したときに前記仕切り部を開放状態とし、当該ＲＦＩＤタグの情報に紐付け情報がある場合は、所定時間の間、前記第１ＲＦＩＤリーダ、或いは、前記第３ＲＦＩＤリーダ又は前記第４ＲＦＩＤリーダが当該ＲＦＩＤタグの情報を読み取り、認証したときに、その情報を無効にし、当該ＲＦＩＤタグの情報に紐付け情報がない場合は、所定時間の間、前記第３ＲＦＩＤリーダ又は前記第４ＲＦＩＤリーダが当該ＲＦＩＤタグの情報を読み取り、認証したときに、その情報を無効とする制御部とを備えたことを特徴とする入退室管理システム。
【請求項６】
第１の周波数帯を使用する電波方式のＲＦＩＤシステム、及び、前記第１の周波数帯よりも低い第２の周波数帯を使用する電磁誘導方式のＲＦＩＤシステムを用いた入退室管理システムであって、一方のエリアと他方のエリアとの二つのエリアを仕切り、開閉可能な仕切り部と、前記一方のエリアに配置された前記電波方式の第１アンテナが接続された第１ＲＦＩＤリーダと、前記他方のエリアに配置された前記電波方式の第２アンテナが接続された第２ＲＦＩＤリーダと、前記一方のエリアに配置された前記電磁誘導方式の第３アンテナが接続された第３ＲＦＩＤリーダと、前記他方のエリアに配置された前記電磁誘導方式の第４アンテナが接続された第４ＲＦＩＤリーダと、前記第１ＲＦＩＤリーダ又は前記第２ＲＦＩＤリーダがＲＦＩＤタグの情報を読み取り、認証したときに前記仕切り部を開放状態とし、所定時間の間、前記第１ＲＦＩＤリーダ又は前記第２ＲＦＩＤリーダが当該ＲＦＩＤタグの情報を読み取り、認証したときに、その情報を無効にし、前記第３ＲＦＩＤリーダ又は前記第４ＲＦＩＤリーダがＲＦＩＤタグの情報を読み取り、認証したときに前記仕切り部を開放状態とし、当該ＲＦＩＤタグの情報に紐付け情報がある場合は、所定時間の間、前記第１ＲＦＩＤリーダ又は前記第２ＲＦＩＤリーダが当該ＲＦＩＤタグの情報を読み取り、認証したときに、その情報を無効とする制御部とを備えたことを特徴とする入退室管理システム。
【請求項７】
第１の周波数帯を使用する電波方式のＲＦＩＤシステム、及び、前記第１の周波数帯よりも低い第２の周波数帯を使用する電磁誘導方式のＲＦＩＤシステムを用いた入退室管理システムであって、一方のエリアと他方のエリアとの二つのエリアを仕切り、開閉可能な仕切り部と、前記一方のエリアに配置された前記電波方式の第１アンテナが接続された第１ＲＦＩＤリーダと、前記一方のエリアに配置された前記電磁誘導方式の第３アンテナが接続された第３ＲＦＩＤリーダと、前記他方のエリアに配置された前記電磁誘導方式の第４アンテナが接続された第４ＲＦＩＤリーダと、前記第１ＲＦＩＤリーダがＲＦＩＤタグの情報を読み取り、認証したときに前記仕切り部を開放状態とし、所定時間の間、前記第１ＲＦＩＤリーダが当該ＲＦＩＤタグの情報を読み取り、認証したときに、その情報を無効にし、前記第３ＲＦＩＤリーダ又は前記第４ＲＦＩＤリーダがＲＦＩＤタグの情報を読み取り、認証したときに前記仕切り部を開放状態とし、当該ＲＦＩＤタグの情報に紐付け情報がある場合は、所定時間の間、前記第１ＲＦＩＤリーダが当該ＲＦＩＤタグの情報を読み取り、認証したときに、その情報を無効とする制御部とを備えたことを特徴とする入退室管理システム。
【請求項８】
前記仕切り部の開放状態と閉鎖状態とを検知する開閉検知部と、前記制御部が情報を無効とすると前記所定時間をカウントするカウンタ部と、前記仕切り部が開放状態から閉鎖状態に遷移したことを前記開閉検知部が検知したときに、前記カウンタ部によるカウントを終了させる判定部とを備えた請求項４〜７のいずれかに記載の入退室管理システム。
【請求項９】
前記仕切り部の開放状態と閉鎖状態とを検知する開閉検知部と、前記制御部が情報を無効とすると前記所定時間をカウントするカウンタ部と、前記仕切り部が開放状態から閉鎖状態に遷移したことを前記開閉検知部が検知したときに、前記カウンタ部によるカウントを第２の所定時間の経過後に終了させる判定部とを備えた請求項４〜７のいずれかに記載の入退室管理システム。
【請求項１０】
前記カウンタ部は、前記仕切り部が閉鎖状態で前記ＲＦＩＤタグの情報が読み取られたときに前記所定時間のカウントを開始、或いは、前記仕切り部が閉鎖状態から開放状態に遷移したことを前記開閉検知部が検知したときに前記所定時間のカウントを開始するものである請求項２、３、８、９のいずれかに記載の入退室管理システム。
【発明の詳細な説明】
【技術分野】
【０００１】
この発明は、Ｒａｄｉｏ＿Ｆｒｅｑｕｅｎｃｙ＿ＩＤｅｎｔｉｆｉｃａｔｉｏｎ（以下、ＲＦＩＤと称す）システムを用いた人や物品の入退室管理システムに関し、特に、ＲＦＩＤタグの誤読（誤認証）を防止するためのものである。
【背景技術】
【０００２】
ＲＦＩＤシステムは、ＩＣチップを備えたＲＦＩＤタグとＲＦＩＤリーダライタとの間で無線通信を行うシステムである。ＲＦＩＤタグには、バッテリーを搭載し、その電力で駆動するアクティブ型タグと、ＲＦＩＤリーダライタからの電力を受けて、これを電源とし駆動するパッシブ型タグがある。アクティブ型はパッシブ型に比べ、バッテリーを搭載しているため、通信距離、通信の安定度などのメリットがある反面、構造の複雑化、サイズの大型化、高コストなどのデメリットもある。パッシブ型タグ用ＩＣチップの小型化、高性能化が進んでおり、パッシブ型タグの幅広い分野での使用が期待されている。
【０００３】
パッシブ型タグにおいて、周波数帯が長波帯、短波帯の周波数帯を使用周波数帯とするＲＦＩＤタグで適用されている電磁誘導方式では、ＲＦＩＤリーダライタの送信アンテナコイルとＲＦＩＤタグのアンテナコイルとの間の電磁誘導作用でＲＦＩＤタグに電圧が誘起され、この電圧によりＩＣチップを起動して通信を可能としている。したがって、ＲＦＩＤリーダライタによる誘導電磁界内でしかＲＦＩＤタグが動作せず、通信距離は数十ｃｍ程度である、
【０００４】
同じく、パッシブ型タグにおいて、ＵＨＦ帯及びマイクロ波帯などの高い周波数帯を使用周波数帯とするＲＦＩＤタグでは、電波方式が適用されており、電波によりＲＦＩＤタグのＩＣチップに電力を供給しているため、通信距離は１〜７ｍ程度と大幅に向上している。よって、通信距離の短い長波帯、短波帯のＲＦＩＤシステムでは実現が困難であった複数枚のＲＦＩＤタグの同時読み取りや移動しているＲＦＩＤタグの読み取りなどが可能となり、その利用範囲は、大幅に広い。なお、ＵＨＦ帯及びマイクロ波帯などの周波数帯を第１の周波数帯とし、波帯、短波帯などの周波数を第２の周波数帯とした場合、第２の周波数帯は第１の周波数帯よりも低い周波数帯といえる。
【０００５】
従来、ＲＦＩＤシステムを用いた入退室管理システムには、ＲＦＩＤリーダ（ＲＦＩＤリーダライタ）に接続されたアンテナの覆域を大きくしておき、ＲＦＩＤタグが読み取れたことをトリガに、前述のアンテナの覆域を狭めてから改めて、ＲＦＩＤタグを読み取り、認証することで、入退室の意識又は必要性の無い人又は物品に添付されたＲＦＩＤタグを誤読することを防止するものがある（例えば、特許文献１参照）。
【０００６】
また、ＲＦＩＤシステムを用いた入退室管理システムには、ＲＦＩＤタグが特定エリアに入室してから所定時間が経過したものを報知するものがある（例えば、特許文献２参照）。さらに、同じＲＦＩＤタグから何度もＲＦＩＤリーダ（ＲＦＩＤリーダライタ）へ返信させないようにするものがある（例えば、特許文献３参照）。
【０００７】
なお、ＲＦＩＤシステムを用いた入退室管理システムにも用いられるＲＦＩＤタグには、
電波方式のものや電磁誘導方式のものの他に、特許文献４〜６に記載のような一枚のカードに「電波方式のアンテナ及びこれに接続されたＩＣチップ」と「電磁誘導方式のアンテナ及びこれに接続されたＩＣチップ」とが実装されたものがある。同様に、ＲＦＩＤリーダ（ＲＦＩＤリーダライタ）に接続されるアンテナにも、特許文献７のような電波方式のものと電磁誘導方式のものとの二つのアンテナが実装されたものがある。
【先行技術文献】
【特許文献】
【０００８】
【特許文献１】特開２０１０−１２８５４６号公報（第４図）
【特許文献２】特開平５−１９０４７号公報（第１図）
【特許文献３】特開２００８−１３５０００号公報（第２図〜第４図）
【特許文献４】特開２００９−２７８５５０号公報（第１図）
【特許文献５】特開２００９−２８８８７４号公報（第１図）
【特許文献６】国際公開第２０１０／００１８３７号（第１図）
【特許文献７】特開２００８−１２５１１５号公報（第２図）
【発明の概要】
【発明が解決しようとする課題】
【０００９】
しかし、従来の入退場管理システム、特に、電波方式のＲＦＩＤシステムを用いたものでは、長距離通信が可能なことから（比較的覆域が広いことから）、入場した人物が持っているＲＦＩＤタグが退場用のＲＦＩＤリーダのアンテナで誤って読み取られてしまう可能性、或いは、その逆である退場した人物が持っているＲＦＩＤタグが入場用のＲＦＩＤリーダのアンテナで誤って読み取られてしまう可能性があるという課題がある。特許文献１に記載の入退場管理システムのように、アンテナの覆域を変更することで、ＲＦＩＤタグの誤読をある程度抑制できるが、アンテナの設置位置や処理が複雑になってしまう。
【００１０】
特許文献３に記載のようなシステムでは、ＲＦＩＤタグごとに応答制御情報を管理する必要があり、システムが複雑化してしまうという課題がある。また、応答制御情報をＲＦＩＤタグに書き込む場合は、ＲＦＩＤリーダライタ（アンテナ）から発する電波（質問波、コマンド）の電力が大きくなってしまうという課題や応答制御情報の書き込み・修正に時間を要するので入退場管理システムに適していないという課題がある。
【００１１】
この発明は、上記のような課題を解消するためになされたもので、ＲＦＩＤシステムを用いた人や物品の入退室管理システムにおいて、ＲＦＩＤタグ（ＩＤ情報）を二度読んでしまうというＲＦＩＤタグの誤読（誤認証）による悪影響を防止する入退室管理システムを提供することを目的とする。
【課題を解決するための手段】
【００１２】
請求項１の発明に係る入退室管理システムは、電波方式のＲＦＩＤシステムを用いた入退室管理システムにおいて、一方のエリアと他方のエリアとの二つのエリアを仕切り、開閉可能な仕切り部と、前記一方のエリアに配置された第１アンテナが接続された第１ＲＦＩＤリーダと、前記他方のエリアに配置された第２アンテナが接続された第２ＲＦＩＤリーダと、前記第１ＲＦＩＤリーダ又は前記第２ＲＦＩＤリーダがＲＦＩＤタグの情報を読み取り、認証したときに前記仕切り部を開放状態とし、所定時間の間、前記第１ＲＦＩＤリーダ又は前記第２ＲＦＩＤリーダが当該ＲＦＩＤタグの情報を読み取り、認証したときに、その情報を無効とする制御部とを備えたことを特徴とするものである。
【００１３】
請求項２の発明に係る入退室管理システムは、電波方式のＲＦＩＤシステムを用いた入退室管理システムにおいて、一方のエリアと他方のエリアとの二つのエリアを仕切り、開閉可能な仕切り部と、この仕切り部の開放状態と閉鎖状態とを検知する開閉検知部と、前記一方のエリアに配置された第１アンテナが接続された第１ＲＦＩＤリーダと、前記他方のエリアに配置された第２アンテナが接続された第２ＲＦＩＤリーダと、所定時間をカウントするカウンタ部と、前記第１ＲＦＩＤリーダ又は前記第２ＲＦＩＤリーダがＲＦＩＤタグの情報を読み取り、認証したときに前記仕切り部を開放状態とし、前記カウンタ部が所定時間をカウントしている間、前記第１ＲＦＩＤリーダ又は前記第２ＲＦＩＤリーダが当該ＲＦＩＤタグの情報を読み取り、認証したときに、その情報を無効とする制御部と、前記仕切り部が開放状態から閉鎖状態に遷移したことを前記開閉検知部が検知したときに、前記カウンタ部によるカウントを終了させる判定部とを備えたことを特徴とするものである。
【００１４】
請求項３の発明に係る入退室管理システムは、電波方式のＲＦＩＤシステムを用いた入退室管理システムにおいて、一方のエリアと他方のエリアとの二つのエリアを仕切り、開閉可能な仕切り部と、この仕切り部の開放状態と閉鎖状態とを検知する開閉検知部と、前記一方のエリアに配置された第１アンテナが接続された第１ＲＦＩＤリーダと、前記他方のエリアに配置された第２アンテナが接続された第２ＲＦＩＤリーダと、所定時間をカウントするカウンタ部と、前記第１ＲＦＩＤリーダ又は前記第２ＲＦＩＤリーダがＲＦＩＤタグの情報を読み取り、認証したときに前記仕切り部を開放状態とし、前記カウンタ部が所定時間をカウントしている間、前記第１ＲＦＩＤリーダ又は前記第２ＲＦＩＤリーダが当該ＲＦＩＤタグの情報を読み取り、認証したときに、その情報を無効とする制御部と、前記仕切り部が開放状態から閉鎖状態に遷移したことを前記開閉検知部が検知したときに、前記カウンタ部によるカウントを第２の所定時間の経過後に終了させる判定部とを備えたことを特徴とするものである。
【００１５】
請求項４の発明に係る入退室管理システムは、第１の周波数帯を使用する電波方式のＲＦＩＤシステム、及び、前記第１の周波数帯よりも低い第２の周波数帯を使用する電磁誘導方式のＲＦＩＤシステムを用いた入退室管理システムであって、一方のエリアと他方のエリアとの二つのエリアを仕切り、開閉可能な仕切り部と、前記一方のエリアに配置された前記電波方式の第１アンテナが接続された第１ＲＦＩＤリーダと、前記他方のエリアに配置された前記電波方式の第２アンテナが接続された第２ＲＦＩＤリーダと、前記一方のエリアに配置された前記電磁誘導方式の第３アンテナが接続された第３ＲＦＩＤリーダと、前記他方のエリアに配置された前記電磁誘導方式の第４アンテナが接続された第４ＲＦＩＤリーダと、前記第１ＲＦＩＤリーダ又は前記第２ＲＦＩＤリーダがＲＦＩＤタグの情報を読み取り、認証したときに前記仕切り部を開放状態とし、所定時間の間、前記第１ＲＦＩＤリーダ又は前記第２ＲＦＩＤリーダ、或いは、前記第３ＲＦＩＤリーダ又は前記第４ＲＦＩＤリーダが当該ＲＦＩＤタグの情報を読み取り、認証したときに、その情報を無効にし、前記第３ＲＦＩＤリーダ又は前記第４ＲＦＩＤリーダがＲＦＩＤタグの情報を読み取り、認証したときに前記仕切り部を開放状態とし、当該ＲＦＩＤタグの情報に紐付け情報がある場合は、所定時間の間、前記第１ＲＦＩＤリーダ又は前記第２ＲＦＩＤリーダ、或いは、前記第３ＲＦＩＤリーダ又は前記第４ＲＦＩＤリーダが当該ＲＦＩＤタグの情報を読み取り、認証したときに、その情報を無効にし、当該ＲＦＩＤタグの情報に紐付け情報がない場合は、所定時間の間、前記第３ＲＦＩＤリーダ又は前記第４ＲＦＩＤリーダが当該ＲＦＩＤタグの情報を読み取り、認証したときに、その情報を無効とする制御部とを備えたことを特徴とするものである。
【００１６】
請求項５の発明に係る入退室管理システムは、第１の周波数帯を使用する電波方式のＲＦＩＤシステム、及び、前記第１の周波数帯よりも低い第２の周波数帯を使用する電磁誘導方式のＲＦＩＤシステムを用いた入退室管理システムであって、一方のエリアと他方のエリアとの二つのエリアを仕切り、開閉可能な仕切り部と、前記一方のエリアに配置された前記電波方式の第１アンテナが接続された第１ＲＦＩＤリーダと、前記一方のエリアに配置された前記電磁誘導方式の第３アンテナが接続された第３ＲＦＩＤリーダと、前記他方のエリアに配置された前記電磁誘導方式の第４アンテナが接続された第４ＲＦＩＤリーダと、前記第１ＲＦＩＤリーダがＲＦＩＤタグの情報を読み取り、認証したときに前記仕切り部を開放状態とし、所定時間の間、前記第１ＲＦＩＤリーダ、或いは、前記第３ＲＦＩＤリーダ又は前記第４ＲＦＩＤリーダが当該ＲＦＩＤタグの情報を読み取り、認証したときに、その情報を無効にし、前記第３ＲＦＩＤリーダ又は前記第４ＲＦＩＤリーダがＲＦＩＤタグの情報を読み取り、認証したときに前記仕切り部を開放状態とし、当該ＲＦＩＤタグの情報に紐付け情報がある場合は、所定時間の間、前記第１ＲＦＩＤリーダ、或いは、前記第３ＲＦＩＤリーダ又は前記第４ＲＦＩＤリーダが当該ＲＦＩＤタグの情報を読み取り、認証したときに、その情報を無効にし、当該ＲＦＩＤタグの情報に紐付け情報がない場合は、所定時間の間、前記第３ＲＦＩＤリーダ又は前記第４ＲＦＩＤリーダが当該ＲＦＩＤタグの情報を読み取り、認証したときに、その情報を無効とする制御部とを備えたことを特徴とするものである。
【００１７】
請求項６の発明に係る入退室管理システムは、第１の周波数帯を使用する電波方式のＲＦＩＤシステム、及び、前記第１の周波数帯よりも低い第２の周波数帯を使用する電磁誘導方式のＲＦＩＤシステムを用いた入退室管理システムであって、一方のエリアと他方のエリアとの二つのエリアを仕切り、開閉可能な仕切り部と、前記一方のエリアに配置された前記電波方式の第１アンテナが接続された第１ＲＦＩＤリーダと、前記他方のエリアに配置された前記電波方式の第２アンテナが接続された第２ＲＦＩＤリーダと、前記一方のエリアに配置された前記電磁誘導方式の第３アンテナが接続された第３ＲＦＩＤリーダと、前記他方のエリアに配置された前記電磁誘導方式の第４アンテナが接続された第４ＲＦＩＤリーダと、前記第１ＲＦＩＤリーダ又は前記第２ＲＦＩＤリーダがＲＦＩＤタグの情報を読み取り、認証したときに前記仕切り部を開放状態とし、所定時間の間、前記第１ＲＦＩＤリーダ又は前記第２ＲＦＩＤリーダが当該ＲＦＩＤタグの情報を読み取り、認証したときに、その情報を無効にし、前記第３ＲＦＩＤリーダ又は前記第４ＲＦＩＤリーダがＲＦＩＤタグの情報を読み取り、認証したときに前記仕切り部を開放状態とし、当該ＲＦＩＤタグの情報に紐付け情報がある場合は、所定時間の間、前記第１ＲＦＩＤリーダ又は前記第２ＲＦＩＤリーダが当該ＲＦＩＤタグの情報を読み取り、認証したときに、その情報を無効とする制御部とを備えたことを特徴とするものである。
【００１８】
請求項７の発明に係る入退室管理システムは、第１の周波数帯を使用する電波方式のＲＦＩＤシステム、及び、前記第１の周波数帯よりも低い第２の周波数帯を使用する電磁誘導方式のＲＦＩＤシステムを用いた入退室管理システムであって、一方のエリアと他方のエリアとの二つのエリアを仕切り、開閉可能な仕切り部と、前記一方のエリアに配置された前記電波方式の第１アンテナが接続された第１ＲＦＩＤリーダと、前記一方のエリアに配置された前記電磁誘導方式の第３アンテナが接続された第３ＲＦＩＤリーダと、前記他方のエリアに配置された前記電磁誘導方式の第４アンテナが接続された第４ＲＦＩＤリーダと、前記第１ＲＦＩＤリーダがＲＦＩＤタグの情報を読み取り、認証したときに前記仕切り部を開放状態とし、所定時間の間、前記第１ＲＦＩＤリーダが当該ＲＦＩＤタグの情報を読み取り、認証したときに、その情報を無効にし、前記第３ＲＦＩＤリーダ又は前記第４ＲＦＩＤリーダがＲＦＩＤタグの情報を読み取り、認証したときに前記仕切り部を開放状態とし、当該ＲＦＩＤタグの情報に紐付け情報がある場合は、所定時間の間、前記第１ＲＦＩＤリーダが当該ＲＦＩＤタグの情報を読み取り、認証したときに、その情報を無効とする制御部とを備えたことを特徴とするものである。
【００１９】
請求項８の発明に係る入退室管理システムは、前記仕切り部の開放状態と閉鎖状態とを検知する開閉検知部と、前記制御部が情報を無効とすると前記所定時間をカウントするカウンタ部と、前記仕切り部が開放状態から閉鎖状態に遷移したことを前記開閉検知部が検知したときに、前記カウンタ部によるカウントを終了させる判定部とを備えた請求項４〜７のいずれかに記載のものである。
【００２０】
請求項９の発明に係る入退室管理システムは、前記仕切り部の開放状態と閉鎖状態とを検知する開閉検知部と、前記制御部が情報を無効とすると前記所定時間をカウントするカウンタ部と、前記仕切り部が開放状態から閉鎖状態に遷移したことを前記開閉検知部が検知したときに、前記カウンタ部によるカウントを第２の所定時間の経過後に終了させる判定部とを備えた請求項４〜７のいずれかに記載のものである。
【００２１】
請求項１０の発明に係る入退室管理システムは、前記カウンタ部が、前記仕切り部が閉鎖状態で前記ＲＦＩＤタグの情報が読み取られたときに前記所定時間のカウントを開始、或いは、前記仕切り部が閉鎖状態から開放状態に遷移したことを前記開閉検知部が検知したときに前記所定時間のカウントを開始するものである請求項２、３、８、９のいずれかに記載のものである。
【発明の効果】
【００２２】
以上のように、請求項１〜３に係る発明によれば、電波方式のＲＦＩＤシステムを用いた入退室管理システムにおいて、一方のエリアに配置された第１アンテナが接続された第１ＲＦＩＤリーダ又は他方のエリアに配置された第２アンテナが接続された第２ＲＦＩＤリーダがＲＦＩＤタグの情報を読み取ったときに仕切り部を開放状態とし、所定時間の間、第１ＲＦＩＤリーダ又は第２ＲＦＩＤリーダが当該ＲＦＩＤタグの情報を読み取ったときに、その情報を無効とするので、ＲＦＩＤタグの誤読（誤認証）の可能性が低減した入退室管理システムを得ることができる。
【００２３】
請求項４〜９に係る発明によれば、第１の周波数帯を使用する電波方式のＲＦＩＤシステム、及び、前記第１の周波数帯よりも低い第２の周波数帯を使用する電磁誘導方式のＲＦＩＤシステムを用いた入退室管理システムにおいても、請求項１〜３に係る発明の効果と同様に、ＲＦＩＤタグの誤読（誤認証）の可能性が低減した入退室管理システムを得ることができる。
【００２４】
請求項１０に係る発明によれば、請求項２、３、８、９に係る発明の効果に加え、カウンタ部が、仕切り部が閉鎖状態でＲＦＩＤタグの情報が読み取られたときに所定時間のカウントを開始、或いは、仕切り部が閉鎖状態から開放状態に遷移したことを開閉検知部が検知したときに所定時間のカウントを開始するもので、ＲＦＩＤタグが読み取られたから、入室又は退室の動作に時間差がある場合でも、所定時間を固定することが可能で、かつい、仕切り部の開錠或いは開閉が何らかの問題でうまくいかなった場合でも、誤って所定時間のカウントを始めないという入退室管理システムを得ることができる。
【図面の簡単な説明】
【００２５】
【図１】この発明の実施の形態１に係る入退室管理システムの構成図である。
【図２】この発明の実施の形態１に係る入退室管理システムの運用の例示図である。
【図３】この発明の実施の形態１に係る入退室管理システムの運用の例示図である。
【図４】この発明の実施の形態１に係る入退室管理システムの運用フローチャートである。
【図５】この発明の実施の形態１に係る入退室管理システムの運用フローチャートである。
【図６】この発明の実施の形態２に係る入退室管理システムの構成図である。
【図７】この発明の実施の形態２に係る入退室管理システムの運用の例示図である。
【図８】この発明の実施の形態２に係る入退室管理システムの運用の例示図である。
【図９】この発明の実施の形態２に係る入退室管理システムの運用フローチャートである。
【図１０】この発明の実施の形態２に係る入退室管理システムの運用フローチャートである。
【図１１】この発明の実施の形態３に係る入退室管理システムの構成図である。
【図１２】この発明の実施の形態３に係る入退室管理システムの運用の例示図である。
【図１３】この発明の実施の形態３に係る入退室管理システムの運用の例示図である。
【発明を実施するための形態】
【００２６】
本願は、電波方式のＲＦＩＤシステムを用いた入退室管理システム、或いは、電波方式のＲＦＩＤシステム及び電磁誘導方式のＲＦＩＤシステムを用いた入退室管理システムに関するものである。また、ＲＦＩＤリーダと称するものは、ＲＦＩＤタグからＩＤ情報などのＲＦＩＤタグ内のＩＣチップに保存された情報を読み取る機能だけでなく、ＩＣチップに保存された情報を更新・書き換えなどの機能を有するＲＦＩＤリーダライタも含むものとする。また、ＲＦＩＤリーダとＲＦＩＤリーダライタとが混在していてもよいとする。さらに、仕切り部と称するものは、二つの領域・エリアの人又は物品の行き来を制限するものであれば、なんでもよい。例えば、扉、ゲート、フラッパーゲート、遮断棒などが考えられる。つまり、本願の「入退室」管理システムとは「入退場」管理システムを含むものである。
【００２７】
なお本願では、上記の仕切り部における開放状態と閉鎖状態とを、フラッパーゲート（遮断棒）においては、フラップ（遮断棒）が二つの領域・エリアの人又は物品の行き来を制限している位置にある状態を開放状態とし、フラップ（遮断棒）が二つの領域・エリアの人又は物品の行き来を制限していない位置にある状態を閉鎖状態とする。扉やゲートにおいても基本的には同じであるが、扉（ゲート）が閉まって施錠が完了されるまでを開放状態としてもよいし、扉（ゲート）が閉まった状態までを開放状態としてもよい。同様に、扉（ゲート）が開錠されるまでを閉鎖状態としてもよいし、扉（ゲート）が開錠され、実際に扉（ゲート）が開くまでを閉鎖状態としてもよい。扉（ゲート）が開錠された後の開く動作は、以下の実施の形態にて説明するように人力（手動）で行ってもよいし、自動で行ってもよい。
【００２８】
さらに、本願では、入退室管理システムの動作を説明する際に、仕切り部を介して、一方のエリアから他方のエリアへ管理対象（人又は物品）が移動する場合を用いて説明するが、仕切り部を介して、他方のエリアから一方のエリアへ管理対象（人又は物品）が移動する場合も同じであることはいうまでもない。但し、実施の形態２のような、一方のエリアと他方のエリアとの両方に電波方式のＲＦＩＤシステムと電磁誘導方式のＲＦＩＤシステムとが併用されているものであることと異なり、実施の形態３では、一方のエリアに電波方式のＲＦＩＤシステムと電磁誘導方式のＲＦＩＤシステムとが併用し、他方のエリアに電磁誘導方式のＲＦＩＤシステムのみ使用しているので、他方のエリアから一方のエリアへ管理対象（人又は物品）が移動する場合は、従来技術の電磁誘導方式のＲＦＩＤシステムを用いた入退室管理の処理となる。
【００２９】
実施の形態１．
以下、この発明の実施の形態１について図１を用いて説明する。図１は実施の形態１に係る入退室管理システムの構成図、図２は実施の形態１に係る入退室管理システムの運用の例示図、図２（ａ）は管理対象入室前、仕切り部閉鎖状態を示す図、図２（ｂ）は管理対象入室動作中、仕切り部開放状態を示す図、図２（ｃ）は管理対象入室済み、仕切り部開放状態を示す図、図３は実施の形態１に係る入退室管理システムの運用の例示図（管理対象入室済み、仕切り部閉鎖状態を示す図）、図４は実施の形態１に係る入退室管理システムの運用フローチャート、図５は実施の形態１に係る入退室管理システムの運用フローチャートである。図４及び図５に記載のフローチャートに示されるＳ○又はＳ○○（○内には正の整数が入る）は、実施の形態１に係る入退室管理システムの処理ステップを示すものである。例えば、Ｓ１は、ステップ１（ＳＴＥＰ１）を示す。つまり、前述のＳ○は、ステップ○（ＳＴＥＰ○）であるといえる。図中、同一符号は、同一又は相当部分を示しそれらについての詳細な説明は省略する。
【００３０】
図１〜５において、仕切り部１は、一方のエリアと他方のエリアとの二つのエリアを仕切り、開閉可能なものであり、例えば、扉、ゲート、フラッパーゲート、遮断棒である。なお、本願では、仕切り部１は扉を用いて説明を行う。この扉１（仕切り部１）は図面では理解を容易とするため、透明なものを図示しているが、これに限るものではない。また、扉１（仕切り部１）のドアノブの図示は省略する。開閉検知部２は、仕切り部１の開放状態と閉鎖状態とを検知する。この開閉検知部２は、後述の制御部１０により制御されており、仕切り部１の開放状態，閉鎖状態の情報を制御部に供給するものである。第１アンテナ３は、一方のエリア側の仕切り部１付近に設置され、第１アンテナ３の覆域（第１覆域３ａ）内のＵＨＦ帯及びマイクロ波帯などの高い周波数帯を使用周波数帯とするＲＦＩＤタグへ質問波を送信し、そのＲＦＩＤタグからの返信波を受信する。第１ＲＦＩＤリーダ４は、一方のエリアに配置された第１アンテナ３が接続され、第１アンテナ３へ質問波を送り、第１アンテナ３からの返信波を信号処理して、その返信波からＲＦＩＤタグのＩＤ情報を得るものである。第２アンテナ５は、他方のエリア側の仕切り部１付近に設置され、第２アンテナ５の覆域（第２覆域５ａ）内のＵＨＦ帯及びマイクロ波帯などの高い周波数帯を使用周波数帯とするＲＦＩＤタグへ質問波を送信し、そのＲＦＩＤタグからの返信波を受信する。第２ＲＦＩＤリーダ６は、他方のエリアに配置された第２アンテナ５が接続された、第２アンテナ５へ質問波を送り、第２アンテナ５からの返信波を信号処理して、その返信波からＲＦＩＤタグのＩＤ情報を得るものである。第１アンテナ３及び第１ＲＦＩＤリーダ４は一体でもよい。同じく、第２アンテナ５及び第２ＲＦＩＤリーダ６は一体でもよい。図中、同一符号は、同一又は相当部分を示しそれらについての詳細な説明は省略する。
【００３１】
引き続き、図１〜５において、カウンタ部７は、所定時間をカウントするものであり、後述の制御部１０の内部に設けてもよいし、外部に設けてもよい。記憶部８は、仕切り部１の開放状態にして、一方のエリアから他方のエリアへの移動、又は、他方のエリアから一方のエリアに移動すること許可することができるＩＤ情報を判断するデータを保持するものであり、後述の制御部１０の内部に設けてもよいし、外部に設けてもよい。さらに、記憶部８は、どのＩＤ情報（後述のＲＦＩＤタグ１１ａを含むＲＦＩＤタグのＩＣチップに記憶されたもの）のＲＦＩＤタグ（管理対象）が一方のエリアか他方のエリアにいるかの履歴や、一方のエリアから他方のエリアへの移動，他方のエリアから一方のエリアへの移動の履歴も記憶するものである。判定部９は、以下の二つの機能（第１機能、第２機能）を選択的に使用できるものであってもよいし、いずれか一方の機能を有するものであってもよい。また、後述の制御部１０の内部に設けてもよいし、外部に設けてもよい。判定部９の第１機能は、仕切り部１が開放状態から閉鎖状態に遷移したことを開閉検知部２が検知したときに、カウンタ部２によるカウントを終了させるものである。判定部９の第２機能は、仕切り部１が開放状態から閉鎖状態に遷移したことを開閉検知部２が検知したときに、カウンタ部７によるカウントを第２の所定時間の経過後に終了させるものである。図中、同一符号は、同一又は相当部分を示しそれらについての詳細な説明は省略する。
【００３２】
引き続き、図１〜５において、制御部１０は、第１ＲＦＩＤリーダ４，第２ＲＦＩＤリーダ６，カウンタ部７，記憶部８，判定部９を制御するものであり、第１ＲＦＩＤリーダ４又は第２ＲＦＩＤリーダ６が、第１アンテナ３又は第２アンテナ５を介して、受信したＲＦＩＤタグの情報（ＩＤ情報）を読み取り、そのＩＤ情報が記憶部８に記憶され、仕切り部１の開放状態にして、一方のエリアから他方のエリアへの移動、又は、他方のエリアから一方のエリアに移動すること許可することができるものであったとき（「認証」という）に、仕切り部１を開放状態とし、所定時間の間に、第１ＲＦＩＤリーダ４又は第２ＲＦＩＤリーダ６が当該ＲＦＩＤタグの情報（ＩＤ情報）を再度読み取り、認証したときに、その情報を無効とするものである。なお、所定時間のカウントには、カウンタ部７を用いればよい。管理対象１１は、仕切り部１を介した一方のエリアと他方のエリアとの行き来を管理する必要がある管理の対象となっている人又は物品である。なお、本願では、管理対象１１が人である場合で説明を行う。また、本願は管理対象１１が人と物品が混在している場合でも実施可能である。ＲＦＩＤタグ１１ａは、ＵＨＦ帯及びマイクロ波帯などの高い周波数帯を使用周波数帯とするもので、第１ＲＦＩＤリーダ４又は第２ＲＦＩＤリーダ６を介して、制御部１０に認証されるものであり、内蔵するＩＣチップに記憶される情報がアンテナ（タグアンテナ：パッチアンテナ、ダイポールアンテナ、モノポールアンテナなど）を介して外部に送信する一般的なＲＦＩＤシステムで使用されるものでよい。このＲＦＩＤタグ１１ａの情報は、ＲＦＩＤタグ１１ａを携帯する管理対象１１のＩＤ情報をそのものであり記憶部８において記憶するものでもよいし、記憶部８においてＲＦＩＤタグ１１ａの情報と管理対象１１のＩＤ情報とを紐付けておいてもよい（これをタグ‐管理対象紐付け情報と称する）。本願では、これらのまとめて、ＲＦＩＤタグ１１ａのＩＤ情報又は簡易的にＲＦＩＤタグ１１ａの情報と称することがある。図中、同一符号は、同一又は相当部分を示しそれらについての詳細な説明は省略する。
【００３３】
次に実施の形態１に係る入退室管理システムの動作について、図２、図３、図４を用いて説明する。なお、実施の形態１に係る入退室管理システムの構成は図１に記載のものであるが、図２及び図３では、仕切り部１、第１アンテナ３、第２アンテナ５以外の構成を省略している。図２及び図３において、第１ＲＦＩＤリーダ４が、ＲＦＩＤタグに対して自身のＩＤ情報を返信波に載せて返信するように指示するコマンド信号を変調し、第１アンテナ３からの質問波として送信して、第１アンテナ３が第１覆域３ａを形成している状態を示している。同じく、第２ＲＦＩＤリーダ６が、ＲＦＩＤタグに対して自身のＩＤ情報を返信波に載せて返信するように指示するコマンド信号を変調し、第２アンテナ５からの質問波として送信して、第２アンテナ５が第２覆域５ａを形成している状態を示している。
【００３４】
図２（ａ）では、管理対象１１が仕切り部１の前に来て、第１アンテア３の第１覆域３ａに入ると、第１リーダライタ４に制御されている第１アンテナ３からの質問波を管理対象１１が保持するＲＦＩＤタグ１１ａが受信できる。質問波を受信したＲＦＩＤタグ１１ａは、自身のＩＤ情報を載せた返信波を返信する。この返信波を第１アンテナ３が受信する（ステップ１）。第１ＲＦＩＤリーダ４は、第１アンテナ３が受信した返信波を復調して、ＲＦＩＤタグ１１ａのＩＤ情報を得る（ステップ２）。このＩＤ情報は、制御部１０へ送られて、仕切り部１を開放状態することが許可されているＩＤ情報として記憶部８に記憶されているかどうかを判断（認証）する（ステップ３）。ステップ３において、認証できないとされた場合、つまり、入手したＩＤ情報が、仕切り部１を開放状態することが許可されていないものと判断された場合は、ステップ１に戻る。ステップ３において、認証できるとされた場合、つまり、入手したＩＤ情報が、仕切り部１を開放状態することが許可されているものと判断された場合は、ステップ４に進む。ステップ４では、制御部１０が仕切り部１へ開錠の指示を与え、仕切り部１が開錠する。
【００３５】
ステップ４にて仕切り部１が開錠されても、ＲＦＩＤタグ１１ａを所持した管理対象１１が一方のエリア（図２（ｂ））から他方エリア（図２（ｃ））に移動するまでは、ＲＦＩＤタグ１１ａのＩＤ情報を二度読みしてしまうと、入退室管理システムの処理がエラーとなってしまい、管理対象１１の入退場がスムーズに行えない。ＲＦＩＤタグ１１ａのＩＤ情報を二度読みとは、例えば、図２（ｂ）に示すような位置に管理対象１１がいたときには、第１アンテナ３からの質問波に対して、ＲＦＩＤタグ１１ａが再度、ＩＤ情報を載せた返信波を返してしまい、制御部１０における認証処理がエラーとなってしまう場合や、図２（ｃ）及び図３に示すような位置に管理対象１１がいたとき（他方のエリアへの入室は完了したが、第２覆域５ａにＲＦＩＤタグ１１ａがはいっているとき）には、第２アンテナ５からの質問波に対して、ＲＦＩＤタグ１１ａが、ＩＤ情報を載せた返信波を返してしまい、制御部１０における認証が完了してしまい、管理対象１１が他方のエリアから一方のエリアに退室した判断してしまう。よって、図３に示すように、仕切り部１が閉鎖状態の場合は、制御部１０が仕切り部１を開錠してしまい、管理対象１１を含む管理対象以外の一方のエリアから他方のエリアへの侵入を許してしまう可能性が、より高まってしまう。
【００３６】
そこで、前述したＲＦＩＤタグ１１ａのＩＤ情報の二度読みによるエラーやトラブルを防ぐために、ステップ５にて、後述する所定時間の経過を判断する。所定時間のカウントにはカウンタ部７が用いられる。所定時間が経過した場合は、管理対象１１が一方のエリアからの他方エリアへの入室（退室）が完了し、第１覆域３ａや第２覆域５ａ内にいないと判断し、制御部１０がＲＦＩＤタグ１１ａのＩＤ情報の履歴として、一方のエリアからの他方エリアへの移動を記憶部７へ記憶させる。ステップ５から終了に進み、一連の処理を終える（図４の開始に戻る）。この場合、新たに、第２アンテナ５がＲＦＩＤ１１ａの返信波を受信した場合は、正規の処理で、管理対象１１が他方のエリアから一方のエリアへ退室（入室）を行っていると判断できる。また、新たに、第１アンテナ３がＲＦＩＤ１１ａの返信波を受信した場合は、他方のエリアから一方のエリアへ退室（入室）の履歴が無いので、ＲＦＩＤタグ１１ａのＩＤ情報の二度読みによるエラーやトラブルではなく、正規のエラーと判断できる。
【００３７】
ステップ５にて所定時間が経過していない場合は、ステップ６に進む。ステップ６では、（ステップ１での受信とは別に）第１アンテナ３又は第２アンテナ５がＲＦＩＤタグ１１ａから返信波を受信していない場合、ステップ５に戻る。返信波を受信した場合、ステップ７に進む。ステップ７では、制御部１０は、ＲＦＩＤタグ１１ａのＩＤ情報が、前述のとおり、記憶部８に記憶された情報に基づくと、認証可能なものであるが、これを無効な情報として取り扱い、ステップ５へ戻る。無効な情報として取り扱いとは、第１アンテナ３がＲＦＩＤタグ１１ａの返信波を受信した場合は、ＲＦＩＤタグ１１ａのＩＤ情報の履歴におけるエラーの履歴として、制御部１０が記憶部７に記憶させない。第２アンテナ５がＲＦＩＤタグ１１ａの返信波を受信した場合は、ＲＦＩＤタグ１１ａのＩＤ情報の履歴として、他方のエリアからの一方エリアへの移動を制御部１０が記憶部７へ記憶させない。このようなステップ５、ステップ６、ステップ７の処理フローによって、前述したＲＦＩＤタグ１１ａのＩＤ情報の二度読みによるエラーやトラブルを防ぐことができる。
【００３８】
制御部１０は、図４に示す処理フローの他に、仕切り部１が開錠した後に、手動又は自動で仕切り部１が開放状態になる。そして、制御部１０は仕切り部１が開放状態から開閉状態に遷移した情報を開閉検知部２から得て、仕切り部１へ施錠の指示を出す。その指示に応じて仕切り部１は施錠を行う。なお、制御部１０は開閉検知部２から仕切り部１の状態の情報を得るだけで、仕切り部１の施錠に関しては、開閉検知部２から、直接、仕切り部１へ情報（施錠すべしとの指示の情報）を送ることで行ってもよい。
【００３９】
ステップ５における時間（所定時間の）経過の判断基準となる所定時間のカウント開始のタイミング（トリガ）や所定時間の設定は、実施の形態１に係る入退室管理システムを適用する仕切り部１の種類や開放状態から閉鎖状態への遷移時間、仕切り部１が設置される環境、第１覆域３ａ及び第２覆域５ａの広さ、第１覆域３ａ及び第２覆域５ａと仕切り部１との位置関係、管理対象１１の移動速度から適宜決定されるもので、一義的なものではない。例えば、第１アンテナ３がＲＦＩＤタグ１１ａの返信波を受信したとき（第２アンテナ５がＲＦＩＤタグ１１ａの返信波を受信したとき）、所定時間のカウント開始のタイミングを制御部１０がＩＤ情報を認証したとき、仕切り部１が開錠されたとき、仕切り部１が閉鎖状態から開放状態に遷移したことを開閉検知部２が検知したとき、仕切り部１が閉鎖状態でＲＦＩＤタグ１１ａの情報（ＩＤ情報）が読み取られたときなどが考えられる。所定時間は、仕切り部１が一般的な扉で、管理対象１１が一般的な移動速度の人であれば、２〜５秒の範囲内で設定することが考えられる。なお、所定時間のカウント開始のタイミング（トリガ）や所定時間の設定は、時間帯によって変更したり、管理対象１１ごとに変更したりしてもよい。例えば、入退室管理システムが一般のオフィスなどに適用する場合は、そのオフィスで勤める人（管理対象１１）の出勤時間や退社時間は、所定時間を短めに設定する、管理対象１１が幼児や高齢者の場合は所定時間を長めに設定するなどが考えられる。
【００４０】
ステップ５における時間（所定時間の）経過の判断基準となる所定時間のカウント開始のタイミング（トリガ）の設定によって効果が異なるので、設定ごとに例示する。第１アンテナ３がＲＦＩＤタグ１１ａの返信波を受信したとき（第２アンテナ５がＲＦＩＤタグ１１ａの返信波を受信したとき）を所定時間のカウント開始のタイミング（トリガ）とする場合は、第１覆域３ａ（第２覆域５ａ）が通常の覆域以上に広げた場合でも、ＲＦＩＤタグ１１ｂの二度読みを防止可能な入退室管理システムを得ることができるという効果を奏する。
【００４１】
所定時間のカウント開始のタイミングを制御部１０がＩＤ情報を認証したときを所定時間のカウント開始のタイミング（トリガ）とする場合は、ＩＤ情報の認証が何らかの問題でうまくいかなった場合でも、誤って所定時間のカウントを始めないという入退室管理システムを得ることができるという効果を奏する。
【００４２】
仕切り部１が開錠されたときを所定時間のカウント開始のタイミング（トリガ）とする場合は、仕切り部１の開錠が何らかの問題でうまくいかなった場合でも、誤って所定時間のカウントを始めないという入退室管理システムを得ることができるという効果を奏する。
【００４３】
仕切り部１が閉鎖状態から開放状態に遷移したことを開閉検知部２が検知したときを所定時間のカウント開始のタイミング（トリガ）とする場合は、仕切り部１の開閉が何らかの問題でうまくいかなった場合でも、誤って所定時間のカウントを始めないという入退室管理システムを得ることができるという効果を奏する。
【００４４】
仕切り部１が閉鎖状態でＲＦＩＤタグ１１ａの情報（ＩＤ情報）が読み取られたときを所定時間のカウント開始のタイミング（トリガ）とする場合は、仕切り部１が開放状態でＲＦＩＤタグ１１ａが読み取れるという状態において、管理対象１１を含む管理対象がスムーズ且つ連続的に仕切り部を介して一方のエリアと他方のエリア間を移動しているために、ＲＦＩＤタグ１１ａを含むＲＦＩＤタグを二度読みする蓋然性は低いので、無用にカウンタ部の処理を輻輳させて負荷が増大してしまうだけになってしまうことを防ぐことができるという入退室管理システムを得ることができるという効果を奏する。
【００４５】
上述のように、ステップ５における時間（所定時間の）経過の判断基準となる所定時間のカウント開始のタイミング（トリガ）や所定時間の設定を行えばよい。ここで、所定時間のカウント終了（終了方法）の変形例を説明する。まず、図５に記載の処理フローを用いて、所定時間のカウントを途中で終了する場合を説明する。この場合は、仕切り部１が開放状態から閉鎖状態に遷移したことを開閉検知部２が検知したときに、カウンタ部７によるカウントを終了させることが考えられる。これは、例えば、仕切り部１が手動で開閉する扉、管理対象１１が人である場合、ＲＦＩＤタグ１１ａのＩＤ情報が認証されて、仕切り部（扉）１が開錠されて、管理対象（人）１１がドアノブを用いて、人１１が、素早く扉１を開閉したときでも、人１１が再度、扉１を開錠したい場合に対応できる入退室管理システムを得ることができるという効果を奏すること意味する。
【００４６】
次に、所定時間の設定を二段階とした場合を説明する。この場合は、図４に記載の処理フローにおけるステップ５が変形した例となる。なお、図５に記載の処理フローのうち、図４に記載の処理フローと同じ処理ステップ番号の処理ステップは、同じ内容の処理ステップである。この場合は、仕切り部１が開放状態から閉鎖状態に遷移したことを開閉検知部２が検知したときに、カウンタ部７によるカウントを第２の所定時間の経過後に終了させることが考えられる。これは、例えば、仕切り部１が手動で開閉する扉、管理対象１１が人である場合、ＲＦＩＤタグ１１ａのＩＤ情報が認証されて、仕切り部（扉）１が開錠されて、管理対象（人）１１がドアノブを用いて、人１１が、素早く扉１を開き、「扉１が蝶番の機能で自然に（又は自動的に）で閉鎖状態に遷移する時間」を第２の所定時間としたときに、人１１が再度、扉１を開錠したい場合に対応できる入退室管理システムを得ることができるという効果を奏すること意味する。
【００４７】
まず、図５に記載の処理フローを用いて、所定時間のカウントを途中で終了する場合を説明する。図５に記載のステップ１１は、「ステップ５における時間（所定時間の）経過の判断基準となる所定時間」のカウント開始のタイミングであるので、上述の説明から、図５に記載の位置（ステップ４とステップ１２との間）でなくてもよい。つまり、ステップ１１は、ステップ１〜ステップ４の間であれば、どこで行ってもよい処理ステップである。
【００４８】
ステップ１２は、ステップ５の前に行われるものである。ステップ１２では制御部１０に設けられた判定部９が、カウンタ部７による所定時間のカウントが継続しているか停止しているかを判定し、継続している場合は、ステップ５に進む。ステップ５以降の処理ステップは、図４を用いて説明した処理ステップと同じである。異なる点は、ステップ７（ステップ７へ進まないときのステップ６）が、Ｓ５ではなくＳ１２へ戻ることである。一方、判定部９が、カウンタ部７による所定時間のカウントが継続しているか停止しているかを判定し、停止している場合は、ステップ１２から終了に進み、一連の処理を終える（図５の開始に戻る）。つまり、ステップ５、ステップ６、ステップ７を行わないようにした。換言すると、前述のように、所定時間の経過を待たずに、所定時間のカウントを途中で終了することになる。
【００４９】
次に、所定時間の設定を二段階とした場合を説明する。図４に記載のステップ５では、カウンタ部７のカウントにとり所定時間の経過の有無を判定しているが、この場合、判定部９が、仕切り部１が開放状態から閉鎖状態に遷移したことを開閉検知部２が検知したとき、所定時間の経過のカウントをカウンタ部７によるカウントを第２の所定時間の経過後に終了させる。換言すると、ステップ５でいう所定時間とは、所定時間のうち、判定部９が、仕切り部１が開放状態から閉鎖状態に遷移したことを開閉検知部２が検知するまでに経過した時間へ、第２の所定時間を加えたといえる。なお、判定部９が、仕切り部１が開放状態から閉鎖状態に遷移したことを開閉検知部２が検知したときの所定時間の残り時間が、第２の所定時間よりも短いときは、実施の形態１に係る入退室管理システムを適用する仕切り部１の種類や開放状態から閉鎖状態への遷移時間、仕切り部１が設置される環境、第１覆域３ａ及び第２覆域５ａの広さ、第１覆域３ａ及び第２覆域５ａと仕切り部１との位置関係、管理対象１１の移動速度から、ステップ５において、第２の所定時間を優先するのか、元の所定時間を優先するのかを決めるとよい。
【００５０】
ここまで説明した図４及び図５に記載の処理フローにおけるステップ６において、実施の形態１に係る入退室管理システムを適用する仕切り部１の種類や開放状態から閉鎖状態への遷移時間、仕切り部１が設置される環境、第１覆域３ａ及び第２覆域５ａの広さ、第１覆域３ａ及び第２覆域５ａと仕切り部１との位置関係、管理対象１１の移動速度から、第１アンテナ３を介してＲＦＩＤタグ１１ａのＩＤ情報を二度読みする可能性が極めて低い場合、第１アンテナ３を介してＲＦＩＤタグ１１ａのＩＤ情報を二度読みしても、図４に示すような処理フローと関係なく、ＲＦＩＤタグ１１ａのＩＤ情報の履歴におけるエラーの履歴として、制御部１０が記憶部７に記憶させない場合や、第１アンテナ３を介してＲＦＩＤタグ１１ａのＩＤ情報を二度読みしても、図４に示すような処理フローと関係なく、ＲＦＩＤタグ１１ａのＩＤ情報の履歴におけるエラーの履歴として、制御部１０が記憶部７に記憶する場合は、実施の形態１に係る入退室管理システムをＵＨＦ帯ＲＦＩＤシステムで適用した場合、ＵＨＦ帯ＲＦＩＤシステムにおいて、セッションと呼ばれる機能を利用することで、実施の形態１に係る入退室管理システムを実施できる。
【００５１】
もちろん、これは、一方のエリアから他方のエリアへの移動を前提として例で、他方のエリから一方のエリアへの移動の場合は、「第２アンテナ５を介してＲＦＩＤタグ１１ａのＩＤ情報を二度読みする可能性が極めて低い場合、第２アンテナ５を介してＲＦＩＤタグ１１ａのＩＤ情報を二度読みしても、図４に示すような処理フローと関係なく、ＲＦＩＤタグ１１ａのＩＤ情報の履歴におけるエラーの履歴として、制御部１０が記憶部７に記憶させない場合や、第２アンテナ５を介してＲＦＩＤタグ１１ａのＩＤ情報を二度読みしても、図４に示すような処理フローと関係なく、ＲＦＩＤタグ１１ａのＩＤ情報の履歴におけるエラーの履歴として、制御部１０が記憶部７に記憶する場合」となり、一方のエリアから他方のエリアへの移動の場合と同様に、実施の形態１に係る入退室管理システムをＵＨＦ帯ＲＦＩＤシステムで適用した場合、ＵＨＦ帯ＲＦＩＤシステムにおいて、セッションと呼ばれる機能を利用することで、実施の形態１に係る入退室管理システムを実施できる。セッションによる後述する特定エリアは、図２及び図３に示すように、一方のエリアがセッションＳ２（Ｓ２）、他方のエリアがセッションＳ３（Ｓ３）である。
【００５２】
実施の形態１に係る入退室管理システムをＵＨＦ帯ＲＦＩＤシステムで適用した場合、ＵＨＦ帯ＲＦＩＤにはセッションと呼ばれる機能を利用できる。ＲＦＩＤタグ１１ａとＲＦＩＤリーダ（第１ＲＦＩＤリーダ４）通信処理にてセッションを指定すると、他のセッションによるコマンドは無視することができる。この機能を使用して、Ｓ２と呼ばれるセッションで通信を開始したＲＦＩＤタグ１１ａはＳ３のセッションに位置づけられたコマンドについては無視する事ができる。これにより、Ｓ２とＳ３のセッションを意図的に制御することで、特定エリアで特定のＲＦＩＤタグのみを読み取ることが制御可能となる。ここで、図２（ａ）では入場側（一方のエリア）にてＲＦＩＤタグ通信を開始する際にセッションの値にＳ２を指定している。同様に図３では退場側（他方のエリア）のセッションをＳ３に設定しているとする。ＵＨＦ帯ＲＦＩＤシステムの標準プロトコルによって、Ｓ２で読まれたＲＦＩＤタグ１１ａは、所定時間の間はＳ３のエリアに居ても通信は実施されない。同様にＳ３で読まれたＲＦＩＤタグ１１ａは、所定時間の間はＳ２のエリアで読み取られることはない。
【００５３】
実施の形態２．
この発明の実施の形態２について図６〜図１０を用いて説明する。実施の形態１では、電波方式のＲＦＩＤシステムを用いた入退室管理システムを説明したが、実施の形態２では、第１の周波数帯を使用する電波方式のＲＦＩＤシステム、及び、第１の周波数帯よりも低い第２の周波数帯を使用する電磁誘導方式のＲＦＩＤシステムを用いた入退室管理システムに関するものである。実施の形態１と共通の構成や動作の説明は省略する。図６は実施の形態２に係る入退室管理システムの構成図、図７は実施の形態２に係る入退室管理システムの運用の例示図、図７（ａ）は管理対象入室前、仕切り部閉鎖状態を示す図、図７（ｂ）は管理対象入室動作中、仕切り部開放状態を示す図、図７（ｃ）は管理対象入室済み、仕切り部開放状態を示す図、図８は実施の形態２に係る入退室管理システムの運用の例示図（管理対象入室済み、仕切り部閉鎖状態を示す図）、図９は実施の形態２に係る入退室管理システムの運用フローチャート、図１０は実施の形態２に係る入退室管理システムの運用フローチャートである。図９及び図１０に記載のフローチャートに示されるＳ○又はＳ○○（○内には正の整数が入る）は、図４及び図５と同様に実施の形態１又は２に係る入退室管理システムの処理ステップを示すものである。図中、同一符号は、同一又は相当部分を示しそれらについての詳細な説明は省略する。図４及び図５並びに図９及び図１０において同じ処理ステップ番号の処理ステップは、同じ内容の処理ステップである。
【００５４】
図６〜図１０において、第３アンテナ１２は、一方のエリア側の仕切り部１付近に設置され、第３アンテナ１２の覆域（第３覆域１２ａ）内の長波帯、短波帯の周波数帯をなどの低い周波数帯を使用周波数帯とするＲＦＩＤタグへ質問波を送信し、そのＲＦＩＤタグからの返信波を受信する。第３覆域１２ａは、第１覆域３ａ及び第２覆域５ａよりも狭いものとする。第３ＲＦＩＤリーダ１３は、一方のエリアに配置された第３アンテナ１２が接続され、第３アンテナ１２へ質問波を送り、第３アンテナ１２からの返信波を信号処理して、その返信波からＲＦＩＤタグのＩＤ情報を得るものである。第４アンテナ１４は、他方のエリア側の仕切り部１付近に設置され、第４アンテナ１４の覆域（第４覆域１４ａ）内の長波帯、短波帯の周波数帯をなどの低い周波数帯を使用周波数帯とするＲＦＩＤタグへ質問波を送信し、そのＲＦＩＤタグからの返信波を受信する。第４ＲＦＩＤリーダ１５は、他方のエリアに配置された第４アンテナ１４が接続された、第４アンテナ１４へ質問波を送り、第４アンテナ１４からの返信波を信号処理して、その返信波からＲＦＩＤタグのＩＤ情報を得るものである。第３アンテナ１２及び第３ＲＦＩＤリーダ１３は一体でもよい。同じく、第４アンテナ１４及び第４ＲＦＩＤリーダ１５は一体でもよい。また、特許文献７に記載のアンテナのような、第１アンテナ３及び第３アンテナ１２は一体でもよい。同じく、第２アンテナ５及び第４アンテナ１４は一体でもよい。図中、同一符号は、同一又は相当部分を示しそれらについての詳細な説明は省略する。
【００５５】
引き続き、図６〜図１０において、ＲＦＩＤタグ１１ｂは、特許文献４〜６に記載のような、ＵＨＦ帯及びマイクロ波帯などの高い周波数帯を使用周波数帯とする第１タグアンテナ（パッチアンテナ、ダイポールアンテナ、モノポールアンテナなど）と、長波帯、短波帯の周波数帯をなどの低い周波数帯を使用周波数帯とする第２タグアンテナ（コイルアンテナなど）との二つのアンテナと、これら二つのアンテナにそれぞれ接続された第１ＩＣチップと第２ＩＣチップとを有するもので、第１ＲＦＩＤリーダ４又は第２ＲＦＩＤリーダ６を介して、後述する制御部１７に認証されるものであり、内蔵する第１ＩＣチップに記憶される情報が第１タグアンテナを介して外部に送信する、或いは、第３ＲＦＩＤリーダ１３又は第４ＲＦＩＤリーダ１５を介して、後述する制御部１７に認証されるものであり、内蔵する第２ＩＣチップに記憶される情報が第２タグアンテナを介して外部に送信するものである。ＲＦＩＤタグ１１ｃは、長波帯、短波帯の周波数帯をなどの低い周波数帯を使用周波数帯とするアンテナ（タグアンテナ：コイルアンテナなど）と、このアンテナに接続されたＩＣチップとを有するもので、第３ＲＦＩＤリーダ１３又は第４ＲＦＩＤリーダ１５を介して、後述する制御部１７に認証されるものであり、内蔵するＩＣチップに記憶される情報がアンテナを介して外部に送信する一般的なＲＦＩＤシステムで使用されるものでよい。図中、同一符号は、同一又は相当部分を示しそれらについての詳細な説明は省略する。
【００５６】
これらのＲＦＩＤタグ１１ｂとＲＦＩＤタグ１１ｃの情報は、ＲＦＩＤタグ１１ｂ又はＲＦＩＤタグ１１ｃを携帯する管理対象１１のＩＤ情報をそのものであり記憶部８において記憶するものでもよいし、記憶部８においてＲＦＩＤタグ１１ａの情報と管理対象１１のＩＤ情報とを紐付けておいてもよい（タグ‐管理対象紐付け情報）。本願では、これらのまとめて、ＲＦＩＤタグ１１ａのＩＤ情報又は簡易的にＲＦＩＤタグ１１ａの情報と称することがある。ＲＦＩＤタグ１１ｂに搭載される第１ＩＣチップと第２ＩＣチップにそれぞれ記憶されるＩＤ情報とタグ‐管理対象紐付け情報との関係は後述する。後述する実施の形態３も含めて、実施の形態２に係る入退室管理システムは、二周波共用のＲＦＩＤタグ１１ｂと一周波使用のＲＦＩＤタグ１１ｃとを併用可能なものである。
【００５７】
引き続き、図６〜図１０において、記憶部１６は、仕切り部１の開放状態にして、一方のエリアから他方のエリアへの移動、又は、他方のエリアから一方のエリアに移動すること許可することができるＩＤ情報を判断するデータを保持するものであり、後述の制御部１７の内部に設けてもよいし、外部に設けてもよい。また、記憶部１６は、どのＩＤ情報（ＲＦＩＤタグ１１ｂ及びＲＦＩＤタグ１１ｃを含むＲＦＩＤタグのＩＣチップに記憶されたもの）のＲＦＩＤタグ（管理対象）が一方のエリアか他方のエリアにいるかの履歴や、一方のエリアから他方のエリアへの移動，他方のエリアから一方のエリアへの移動の履歴も記憶するものである。さらに、記憶部１６は、ＲＦＩＤタグ１１ｂの場合、二つのＩＣチップ（第１ＩＣチップ及び第２ＩＣチップ）ごとに異なるＩＤ情報が記憶されているために、ＲＦＩＤタグ１１ｂに搭載された第１ＩＣチップと第２ＩＣチップとのそれぞれのＩＤ情報を紐付けた「紐付け情報」を記憶するものでもある（実施の形態１で説明した「タグ‐管理対象紐付け情報」とは異なる）。これにより、第１ＩＣチップ又は第２ＩＣチップのいずかのＩＤ情報が読み取ることで、ＲＦＩＤタグ１１ｂを保持している管理対象１１を特定できる。つまり、後述する実施の形態３も含めて、実施の形態２における「タグ‐管理対象紐付け情報」とは、第１ＩＣチップと第２ＩＣチップとのそれぞれのＩＤ情報を紐付けた「紐付け情報」と管理対象１１とを紐付けたものであるといえる。図中、同一符号は、同一又は相当部分を示しそれらについての詳細な説明は省略する。
【００５８】
引き続き、図６〜図１０において、制御部１７は、第１ＲＦＩＤリーダ４（電波方式），第２ＲＦＩＤリーダ６（電波方式），第３ＲＦＩＤリーダ１３（電磁誘導方式），第４ＲＦＩＤリーダ１５（電磁誘導方式），カウンタ部７，記憶部１６，判定部９を制御するものであり、第１ＲＦＩＤリーダ４又は第２ＲＦＩＤリーダ６が第１アンテナ３又は第２アンテナ５を介して、受信したＲＦＩＤタグの情報（ＩＤ情報）を読み取り、そのＩＤ情報が記憶部１６に記憶され、仕切り部１の開放状態にして、一方のエリアから他方のエリアへの移動、又は、他方のエリアから一方のエリアに移動すること許可することができるものであったとき（「認証」という）に、仕切り部１を開放状態とし、所定時間の間、第１ＲＦＩＤリーダ４又は第２ＲＦＩＤリーダ６、或いは、第３ＲＦＩＤリーダ１３又は第４ＲＦＩＤリーダ１５が当該ＲＦＩＤタグの情報（ＩＤ情報）を再度読み取り、認証したときに、その情報を無効とするものである。なお、所定時間のカウントには、カウンタ部７を用いればよい。図中、同一符号は、同一又は相当部分を示しそれらについての詳細な説明は省略する。
【００５９】
また、上述の制御部１７は、第３ＲＦＩＤリーダ１３又は第４ＲＦＩＤリーダ１５が第３アンテナ１２又は第４アンテナ１４を介して、受信したＲＦＩＤタグの情報（ＩＤ情報）を読み取り、そのＩＤ情報が記憶部１６に記憶され、仕切り部１の開放状態にして、一方のエリアから他方のエリアへの移動、又は、他方のエリアから一方のエリアに移動すること許可することができるものであったとき（「認証」という）に、仕切り部１の開放状態とし、当該ＲＦＩＤタグの情報に紐付け情報がある場合（つまり、ＲＦＩＤタグ１１ｂである場合）は、所定時間の間、第１ＲＦＩＤリーダ４又は第２ＲＦＩＤリーダ６、或いは、第３ＲＦＩＤリーダ１３又は第４ＲＦＩＤリーダ１５が当該ＲＦＩＤタグの情報（ＩＤ情報）を再度読み取り、認証したときに、その情報を無効にし、当該ＲＦＩＤタグの情報に紐付け情報がない場合（つまり、ＲＦＩＤタグ１１ｃである場合）は、所定時間の間、第３ＲＦＩＤリーダ１３又は第４ＲＦＩＤリーダ１５が当該ＲＦＩＤタグの情報（ＩＤ情報）を再度読み取り、認証したときに、その情報を無効とするものでもある。なお、所定時間のカウントには、カウンタ部７を用いればよい。図中、同一符号は、同一又は相当部分を示しそれらについての詳細な説明は省略する。
【００６０】
次に実施の形態２に係る入退室管理システムの動作について、図７、図８、図９を用いて説明する。なお、実施の形態２に係る入退室管理システムは、二周波共用のＲＦＩＤタグ１１ｂと一周波使用のＲＦＩＤタグ１１ｃとを併用可能なものである。基本的な説明はＲＦＩＤタグ１１ｂを用いて説明する。また、実施の形態２に係る入退室管理システムの構成は図６に記載のものであるが、図７及び図８では、仕切り部１、第１アンテナ３、第２アンテナ５、第３アンテナ１２、第４アンテナ１４以外の構成を省略している。図６及び図７において、第１ＲＦＩＤリーダ４が、ＲＦＩＤタグに対して自身のＩＤ情報を返信波に載せて返信するように指示するコマンド信号を変調し、第１アンテナ３からの質問波として送信して、第１アンテナ３が第１覆域３ａを形成している状態と、第３ＲＦＩＤリーダ１３が、ＲＦＩＤタグに対して自身のＩＤ情報を返信波に載せて返信するように指示するコマンド信号を変調し、第３アンテナ１２からの質問波として送信して、第１アンテナ１２が第３覆域１２ａを形成している状態とを示している。
【００６１】
同じく、第２ＲＦＩＤリーダ６が、ＲＦＩＤタグに対して自身のＩＤ情報を返信波に載せて返信するように指示するコマンド信号を変調し、第２アンテナ５からの質問波として送信して、第２アンテナ５が第２覆域５ａを形成している状態と、第４ＲＦＩＤリーダ１５が、ＲＦＩＤタグに対して自身のＩＤ情報を返信波に載せて返信するように指示するコマンド信号を変調し、第４アンテナ１４からの質問波として送信して、第４アンテナ１４が第４覆域１４ａを形成している状態とを示している。
【００６２】
図７（ａ）では、管理対象１１が仕切り部１の前に来て、第１アンテア３の第１覆域３ａに入ると、第１リーダライタ４に制御されている第１アンテナ３からの質問波を管理対象１１が保持するＲＦＩＤタグ１１ａが受信できる。質問波を受信したＲＦＩＤタグ１１ｂは、自身のＩＤ情報を載せた返信波を返信する。この返信波を第１アンテナ３が受信する（ステップ１）。ステップ１は、管理対象１１が仕切り部１の前に来て、第３アンテア１２の第３覆域１２ａに入ると、第３リーダライタ１３に制御されている第３アンテナ１２からの質問波を管理対象１１が保持するＲＦＩＤタグ１１ｂが受信できる。質問波を受信したＲＦＩＤタグ１１ｂは、自身のＩＤ情報を載せた返信波を返信する。この返信波を第３アンテナ１２が受信する場合もある。ＲＦＩＤタグ１１ｃの場合は、こちらの場合だけになることはいうまでもない。以降は、ＲＦＩＤタグ１１ｂの返信波を第１アンテナ３が受信した場合を前提に説明を進め、補足的に、ＲＦＩＤタグ１１ｃの場合に関しても説明する。
【００６３】
第１ＲＦＩＤリーダ４は、第１アンテナ３が受信した返信波を復調して、ＲＦＩＤタグ１１ｂのＩＤ情報を得る（ステップ２）。このＩＤ情報は、制御部１７へ送られて、仕切り部１を開放状態することが許可されているＩＤ情報として記憶部１６に記憶されているかどうかを判断（認証）する（ステップ３）。ステップ３において、認証できないとされた場合、つまり、入手したＩＤ情報が、仕切り部１を開放状態することが許可されていないものと判断された場合は、ステップ１に戻る。ステップ３において、認証できるとされた場合、つまり、入手したＩＤ情報が、仕切り部１を開放状態することが許可されているものと判断された場合は、ステップ４に進む。ステップ４では、制御部１７が仕切り部１へ開錠の指示を与え、仕切り部１が開錠する。
【００６４】
ステップ４にて仕切り部１が開錠されても、ＲＦＩＤタグ１１ｂを所持した管理対象１１が一方のエリア（図７（ｂ））から他方エリア（図７（ｃ））に移動するまでは、ＲＦＩＤタグ１１ｂのＩＤ情報を二度読みしてしまうと、入退室管理システムの処理がエラーとなってしまい、管理対象１１の入退場がスムーズに行えない。ＲＦＩＤタグ１１ｂのＩＤ情報を二度読みとは、例えば、図７（ｂ）に示すような位置に管理対象１１がいたときには、第１アンテナ３からの質問波に対して、ＲＦＩＤタグ１１ｂが再度、ＩＤ情報を載せた返信波を返してしまい、制御部１７における認証処理がエラーとなってしまう場合、及び、第３アンテナ１２からの質問波に対して、ＲＦＩＤタグ１１ｂが再度、ＩＤ情報を載せた返信波を返してしまい、制御部１７における認証処理がエラーとなってしまう場合や、図７（ｃ）及び図８に示すような位置に管理対象１１がいたとき（他方のエリアへの入室は完了したが、第２覆域５ａにＲＦＩＤタグ１１ｂがはいっているとき）には、第２アンテナ５からの質問波に対して、ＲＦＩＤタグ１１ｂが、ＩＤ情報を載せた返信波を返してしまい、制御部１７における認証が完了してしまい、管理対象１１が他方のエリアから一方のエリアに退室した判断、及び、図７（ｃ）及び図８に示すような位置に管理対象１１がいたとき（他方のエリアへの入室は完了したが、第４覆域１４ａにＲＦＩＤタグ１１ｂがはいっているとき）には、第４アンテナ１４からの質問波に対して、ＲＦＩＤタグ１１ｂが、ＩＤ情報を載せた返信波を返してしまい、制御部１７における認証が完了してしまい、管理対象１１が他方のエリアから一方のエリアに退室した判断してしまう。よって、図８に示すように、仕切り部１が閉鎖状態の場合は、制御部１７が仕切り部１を開錠してしまい、管理対象１１を含む管理対象以外の一方のエリアから他方のエリアへの侵入を許してしまう可能性が、より高まってしまう。
【００６５】
そこで、前述したＲＦＩＤタグ１１ｂのＩＤ情報の二度読みによるエラーやトラブルを防ぐために、ステップ５とステップ５２への場合分けの処理ステップであるステップ４２を行う。ステップ４２はステップ３で認証したＲＦＩＤタグが、ＲＦＩＤタグ１１ｂ（「紐付け情報」あり）であるのかＲＦＩＤ１１ｃ（「紐付け情報」なし）であるのかを制御部１７が記憶部１６に記憶される情報を基に判断する。ＲＦＩＤタグ１１ｂである場合は、ステップ５に進む。終了を含むステップ５〜ステップ７における処理は、二度読みの可能性や正規の読み取りの可能性がある覆域が第１覆域３ａや第２覆域５ａに加え、第３覆域１２ａや第４覆域１４ａもあるという差異、前述した入退室管理システムの構成の差異、ＲＦＩＤタグ１１ａがＲＦＩＤ１１ｂとなった点を除き、実施の形態１に係る入退室管理システムと同様なので説明を省略する。ステップ４２にて、ＲＦＩＤタグ１１ｃと判断された場合は、ステップ５２に進む。
【００６６】
ステップ５２にて、後述する所定時間の経過を判断する。所定時間のカウントにはカウンタ部７が用いられる。所定時間が経過した場合は、管理対象１１が一方のエリアからの他方エリアへの入室（退室）が完了し、第３覆域１２ａや第４覆域１４ａ内にいないと判断し、制御部１７がＲＦＩＤタグ１１ｃのＩＤ情報の履歴として、一方のエリアからの他方エリアへの移動を記憶部７へ記憶させる。ステップ５２から終了に進み、一連の処理を終える（図９の開始に戻る）。この場合、新たに、第４アンテナ１４がＲＦＩＤ１１ｃの返信波を受信した場合は、正規の処理で、管理対象１１が他方のエリアから一方のエリアへ退室（入室）を行っていると判断できる。また、新たに、第３アンテナ１２がＲＦＩＤ１１ｃの返信波を受信した場合は、他方のエリアから一方のエリアへ退室（入室）の履歴が無いので、ＲＦＩＤタグ１１ｃのＩＤ情報の二度読みによるエラーやトラブルではなく、正規のエラーと判断できる。
【００６７】
ステップ５２にて所定時間が経過していない場合は、ステップ６２に進む。ステップ６２では、（ステップ１での受信とは別に）第３アンテナ１２又は第４アンテナ１４がＲＦＩＤタグ１１ｃから返信波を受信していない場合、ステップ５２に戻る。返信波を受信した場合、ステップ７２に進む。ステップ７２では、制御部１７は、ＲＦＩＤタグ１１ｃのＩＤ情報が、前述のとおり、記憶部１６に記憶された情報に基づくと、認証可能なものであるが、これを無効な情報として取り扱い、ステップ５２へ戻る。無効な情報として取り扱いとは、第３アンテナ１２がＲＦＩＤタグ１１ｃの返信波を受信した場合は、ＲＦＩＤタグ１１ｃのＩＤ情報の履歴におけるエラーの履歴として、制御部１７が記憶部１６に記憶させない。第４アンテナ１４がＲＦＩＤタグ１１ｃの返信波を受信した場合は、ＲＦＩＤタグ１１ｃのＩＤ情報の履歴として、他方のエリアからの一方エリアへの移動を制御部１７が記憶部１６へ記憶させない。このようなステップ５２、ステップ６２、ステップ７２の処理フローによって、前述したＲＦＩＤタグ１１ｃのＩＤ情報の二度読みによるエラーやトラブルを防ぐことができる。
【００６８】
制御部１７は、制御部１０と同じく、図９（制御部１０の場合は図４）に示す処理フローの他に、仕切り部１が開錠した後に、手動又は自動で仕切り部１が開放状態になる。そして、制御部１７は仕切り部１が開放状態から開閉状態に遷移した情報を開閉検知部２から得て、仕切り部１へ施錠の指示を出す。その指示に応じて仕切り部１は施錠を行う。なお、制御部１７は開閉検知部２から仕切り部１の状態の情報を得るだけで、仕切り部１の施錠に関しては、開閉検知部２から、直接、仕切り部１へ情報（施錠すべしとの指示の情報）を送ることで行ってもよい。
【００６９】
ステップ５２における時間（所定時間の）経過の判断基準となる所定時間のカウント開始のタイミング（トリガ）や所定時間の設定や、それらそれぞれの効果は、前述のステップ５と同様なので、説明を省略する。つまり、ステップ５２における時間（所定時間の）経過の判断基準となる所定時間のカウント開始のタイミング（トリガ）や所定時間の設定を行えばよい。ここで、所定時間のカウント終了（終了方法）の変形例を説明する。まず、図１０に記載の処理フローを用いて、所定時間のカウントを途中で終了する場合を説明する。この場合は、仕切り部１が開放状態から閉鎖状態に遷移したことを開閉検知部２が検知したときに、カウンタ部７によるカウントを終了させることが考えられる。これは、例えば、仕切り部１が手動で開閉する扉、管理対象１１が人である場合、ＲＦＩＤタグ１１ｂ（ＲＦＩＤタグ１１ｃ）のＩＤ情報が認証されて、仕切り部（扉）１が開錠されて、管理対象（人）１１がドアノブを用いて、人１１が、素早く扉１を開閉したときでも、人１１が再度、扉１を開錠したい場合に対応できる入退室管理システムを得ることができるという効果を奏すること意味する。
【００７０】
次に、所定時間の設定を二段階とした場合を説明する。この場合は、図９に記載の処理フローにおけるステップ５が変形した例となる。なお、図１０に記載の処理フローのうち、図９に記載の処理フローと同じ処理ステップ番号の処理ステップは、同じ内容の処理ステップである。この場合は、仕切り部１が開放状態から閉鎖状態に遷移したことを開閉検知部２が検知したときに、カウンタ部７によるカウントを第２の所定時間の経過後に終了させることが考えられる。これは、例えば、仕切り部１が手動で開閉する扉、管理対象１１が人である場合、ＲＦＩＤタグ１１ｂ（ＲＦＩＤタグ１１ｃ）のＩＤ情報が認証されて、仕切り部（扉）１が開錠されて、管理対象（人）１１がドアノブを用いて、人１１が、素早く扉１を開き、「扉１が蝶番の機能で自然に（又は自動的に）で閉鎖状態に遷移する時間」を第２の所定時間としたときに、人１１が再度、扉１を開錠したい場合に対応できる入退室管理システムを得ることができるという効果を奏すること意味する。
【００７１】
まず、図１０に記載の処理フローを用いて、所定時間のカウントを途中で終了する場合を説明する。図１０に記載のステップ３１は、「ステップ５（ステップ５２）における時間（所定時間の）経過の判断基準となる所定時間」のカウント開始のタイミングであるので、上述の説明から、図１０に記載の位置（ステップ４とステップ４２との間）でなくてもよい。つまり、ステップ３１は、ステップ１〜ステップ４２の間であれば、どこで行ってもよい処理ステップである。
【００７２】
ステップ３２は、ステップ５（又はステップ５２）の前に行われるものである。ステップ３２では制御部１７に設けられた判定部９が、カウンタ部７による所定時間のカウントが継続しているか停止しているかを判定し、継続している場合は、ステップ５（ステップ５２）に進む。ステップ５（ステップ５２）以降の処理ステップは、図９を用いて説明した処理ステップと同じである。異なる点は、ステップ７又はステップ７２（ステップ７又はステップ７２へ進まないときのステップ６又はステップ６２）が、Ｓ５ではなくＳ３２へ戻ることである。一方、判定部９が、カウンタ部７による所定時間のカウントが継続しているか停止しているかを判定し、停止している場合は、ステップ３２から終了に進み、一連の処理を終える（図１０の開始に戻る）。つまり、ステップ５、ステップ６、ステップ７（ステップ５２、ステップ６２、ステップ７２）を行わないようにした。換言すると、前述のように、所定時間の経過を待たずに、所定時間のカウントを途中で終了することになる。
【００７３】
次に、所定時間の設定を二段階とした場合を説明する。図９に記載のステップ５（ステップ５２）では、カウンタ部７のカウントにとり所定時間の経過の有無を判定しているが、この場合、判定部９が、仕切り部１が開放状態から閉鎖状態に遷移したことを開閉検知部２が検知したとき、所定時間の経過のカウントをカウンタ部７によるカウントを第２の所定時間の経過後に終了させる。換言すると、ステップ５（ステップ５２）でいう所定時間とは、所定時間のうち、判定部９が、仕切り部１が開放状態から閉鎖状態に遷移したことを開閉検知部２が検知するまでに経過した時間へ、第２の所定時間を加えたといえる。なお、判定部９が、仕切り部１が開放状態から閉鎖状態に遷移したことを開閉検知部２が検知したときの所定時間の残り時間が、第２の所定時間よりも短いときは、実施の形態２に係る入退室管理システムを適用する仕切り部１の種類や開放状態から閉鎖状態への遷移時間、仕切り部１が設置される環境、第１覆域３ａ，第２覆域５ａ，第３覆域１２ａ，第４覆域１４ａの広さ、第１覆域３ａ，第２覆域５ａ，第３覆域１２ａ，第４覆域１４ａと仕切り部１との位置関係、管理対象１１の移動速度から、ステップ５（ステップ５２）において、第２の所定時間を優先するのか、元の所定時間を優先するのかを決めるとよい。
【００７４】
実施の形態２に係る入退室管理システムにおいて、第３覆域１２ａ，第４覆域１４ａの広さがＲＦＩＤタグ１１ｂ又はＲＦＩＤタグ１１ｃを二度読みする可能性が極めて低い程度の広さであれば、実施の形態２に係る入退室管理システムにおける電磁誘導方式のＲＦＩＤシステムは従来どおりの運用でよい。この場合は、実施の形態２に係る入退室管理システムの構成や動作は、実施の形態１に係る入退室管理システムと同じなる。
【００７５】
しかし、実施の形態２に係る入退室管理システムにおいて、特許文献７に記載のようなアンテナを第３アンテナ１２や第４アンテナ１４に採用した場合、ＲＦＩＤタグ１１ｂを運用する際には、第３覆域１２ａ，第４覆域１４ａの広さがＲＦＩＤタグ１１ｂ又はＲＦＩＤタグ１１ｃを二度読みする可能性が極めて低い程度の広さでも、第３覆域１２ａの大部分が第１覆域３ａに包含され、第４覆域１４ａの大部分が第２覆域５ａに包含される可能性が高いので、ＲＦＩＤタグ１１ｂを二度読みする可能性がある。この場合は、実施の形態２に係る入退室管理システムにおける電磁誘導方式のＲＦＩＤシステムは従来どおりの運用ではなく、実施の形態２に係る入退室管理システムで説明した運用が必要となる。
【００７６】
実施の形態３．
この発明の実施の形態２について図１１〜図１３を用いて説明する。実施の形態３では、実施の形態２と同様に、第１の周波数帯を使用する電波方式のＲＦＩＤシステム、及び、第１の周波数帯よりも低い第２の周波数帯を使用する電磁誘導方式のＲＦＩＤシステムを用いた入退室管理システムに関するものである。実施の形態１及び２と共通の構成や動作の説明は省略する。図１１は実施の形態３に係る入退室管理システムの構成図、図１２は実施の形態３に係る入退室管理システムの運用の例示図、図１２（ａ）は管理対象入室前、仕切り部閉鎖状態を示す図、図１２（ｂ）は管理対象入室動作中、仕切り部開放状態を示す図、図１２（ｃ）は管理対象入室済み、仕切り部開放状態を示す図、図１３は実施の形態３に係る入退室管理システムの運用の例示図（管理対象入室済み、仕切り部閉鎖状態を示す図）、図中、同一符号は、同一又は相当部分を示しそれらについての詳細な説明は省略する。
【００７７】
実施の形態３に係る入退室管理システムは、実施の形態２に係る入退室システムから一方のエリア側又は他方のエリア側のいずれか一方から電波方式のＲＦＩＤシステムによるＲＦＩＤタグの読み取り（認証）機能を省いたものである。ここでは、図１１、図１２（ａ）、図１２（ｂ）、図１２（ｃ）、図１３に記載のとおり、他方のエリア側を省いたものを説明するが、一方のエリア側を省いたものでも同じである。
【００７８】
実施の形態３に係る入退室管理システムの処理フローは、実施の形態２で説明した処理フローと図９及び図１０のフローチャートと基本的には同様である。但し、前述のように、一方のエリア側又は他方のエリア側のいずれか一方から電波方式のＲＦＩＤシステムによるＲＦＩＤタグの読み取り（認証）機能を省いた処理となる。
【００７９】
なお、実施の形態３（実施の形態２）に係る入退室管理システムにおいて、ＲＦＩＤタグ１１ｃを保持する管理対象１１が他方のエリアから一方のエリアに移動する場合、例えば、図１３（図８）に図示する管理対象１１が再度、仕切り部１を介して一方のエリアへ戻る場合（厳密には、図１３（図８）に記載の管理対象１１は、ＲＦＩＤタグ１１ｂを保持しているので、これをＲＦＩＤ１１ｃに置換した状態を想定する必要がある）、第１覆域３ａ，第２覆域５ａによる二度読みはありえないので、第１覆域３ａ，第２覆域５ａを構成する要素や処理を、実施の形態３（実施の形態２）に係る入退室管理システムから省けばよい。
【符号の説明】
【００８０】
１・・仕切り部、２・・開閉検知部、３・・第１アンテナ、３ａ・・第１覆域、４・・第１ＲＦＩＤリーダ、５・・第２アンテナ、５ａ・・第２覆域、６・・第２ＲＦＩＤリーダ、７・・カウンタ部、８・・記憶部８・・判定部、１０・・制御部１０・・管理対象、１１ａ・・ＲＦＩＤタグ（電波方式）、１１ｂ・・ＲＦＩＤタグ（電波方式及び電磁誘導方式）、１１ｃ・・ＲＦＩＤタグ（電磁誘導方式）、１２・・第３アンテナ、１２ａ・・第３覆域、１３・・第３ＲＦＩＤリーダ、１４・・第４アンテナ、１４ａ・・第４覆域、１５・・第４ＲＦＩＤリーダ、１６・・記憶部、１７・・制御部。
【図１】
2013025377.tif 000003
【図２】
2013025377.tif 000004
【図３】
2013025377.tif 000005
【図４】
2013025377.tif 000006
【図５】
2013025377.tif 000007
【図６】
2013025377.tif 000008
【図７】
2013025377.tif 000009
【図８】
2013025377.tif 000010
【図９】
2013025377.tif 000011
【図１０】
2013025377.tif 000012
【図１１】
2013025377.tif 000013
【図１２】
2013025377.tif 000014
【図１３】
2013025377.tif 000015